(57)【要約】【課題】コンセントなどの電源側接続器具に差し込み接続する例えばアダプターやプラグなどの受電側接続器具における接続端子のトラッキングを防止する。【解決手段】平板部を持ち、平板部に挿入穴を開口し、前記挿入穴の縁を囲繞する筒状シール部及びリブ状シール部を形成し、平板部の周縁から伸長するスカート状シール部を形成してなる電源接続端子のトラッキング防止カバー。【選択図】        図６
2006294362.tif 000002
【特許請求の範囲】
【請求項１】
平板部を持ち、平板部に挿入穴を開口し、前記挿入穴の縁を囲繞する筒状シール部及びリブ状シール部を形成し、平板部の周縁から伸長するスカート状シール部を形成してなる電源接続端子のトラッキング防止カバー。
【請求項２】
前記リブ状シール部を断面略Ｓ型に形成してなる請求項１記載の電源接続端子のトラッキング防止カバー。
【請求項３】
前記リブ状シール部を断面略Ｕ型に形成してなる請求項１記載の電源接続端子のトラッキング防止カバー。
【請求項４】
前記平板部の周縁に庇部を形成してなる請求項１又は３記載の電源接続端子のトラッキング防止カバー。
【請求項５】
前記スカート状シール部の周縁にフランジ部を形成してなる請求項１乃至４記載の電源接続端子のトラッキング防止カバー。
【発明の詳細な説明】
【技術分野】
【０００１】
本発明は、例えばコンセントなどの電源側接続器具に差し込み接続する例えばアダプターやプラグなどの受電側接続器具における接続端子のトラッキング防止用カバーに関するものである。
【背景技術】
【０００２】
電気接続器具として代表的なものとして、プラグとこれが接続するコンセントがある。
【０００３】
図１３（Ａ）に示すように、プラグ２００は、可撓性導線（コード）２０１と繋がるプラグ本体２０２と、プラグ本体２００から突出する接続端子となる２本の雄端子２０３からなり、一方コンセント３００は、図１３（Ｂ）に示すように、コンセント本体３０１に開口する２つの開口３０２と、コンセント本体３０１内に設けた雌端子３０３とからなっている。
【０００４】
そこで、プラグ２００をコンセント本体３０１に直角方向に差し込むと、プラグ２００の雄端子２０３がコンセント３００の開口３０２内の雌端子３０３の二股の把持部３０３Ａの間に差し込まれ、把持部３０３Ａは一定の挟持力で雄端子２０３を支持して、相互に密接に接触し、通電することになる。
【０００５】
しかし、プラグ２００を差し込んでも、差し込みが不完全な場合や器具同志の相性によっては、プラグ本体２０２とコンセント本体３０１が完全には密着せず、その間に若干の隙間が空き、その隙間に雄端子２０３の突出基部が露出状態になっていることがある。
【０００６】
この状態にあっては、隙間から次第に埃が侵入して雄端子２０３の突出基部に溜まり、それに空気中の水分が吸収されて、２本の雄端子２０３間で漏電が起こり（トラッキング現象）、発火するような事態が発生することがある。
【０００７】
各種の家電機器や事務機器に給電するコンセント３００は、通常、室内の隅の人目に付かない場所に設けられて、埃が溜まりやすい反面清掃が行き届かず、しかも家電機器や家具類家具などで隠されている場合が多いことから、そのような危険が見過ごされたり、発見が遅れるという事情もある。
【０００８】
また、差し込みが長期に及ぶと、コード２０１又はプラグ２００に対する何らかの接触又は洗濯機、冷蔵庫などの振動などの要因や、雌端子３０３の把持部３０３Ａの挟持力の弱まりなどで、プラグ２００が、コンセント３００に対し直角の差し込み姿勢を保持できなくなり、傾斜姿勢を取るようになったり、外れかかったりすると、コンセント本体３０１とプラグ本体２０２の間の隙間が大きくなり、雄端子２０３の突出基部への埃の沈積の増大は勿論、落下したヘアーピンなどの異物との接触などを原因として、一層トラッキング現象が発生する危険が増大する。
【０００９】
ところで、このような電気接続器具の接続端子におけるトラッキング現象の発生を防ぐため、トラッキング防止部材が幾つか提案されている（例えば、特許文献１及び特許文献２参照。）。
【特許文献１】特許第３０７３３９８号公報（第４，５欄、図２）
【特許文献２】実用新案登録第３０４２７９０号公報（図１乃至３）
【発明の開示】
【発明が解決しようとする課題】
【００１０】
先ず、特許文献１に係るトラッキング防止技術は、プラグと別体に形成された絶縁キャップ１７であって、使用時にこれをプラグ１１に装着するというものである（符号は、後述の本発明において用いる符号とは無関係に、特許文献１において使用された符号をそのまま使用する。以下同様。）。
【００１１】
すなわち、この絶縁キャップ１７は、ゴム材により構成され、絶縁キャップ１７の周縁部に形成された係合凸部１８を、プラグ１１の先端部周縁部に形成された係止凹部１９に嵌合して、プラグ１１のプラグ端子１３側に装着される。絶縁キャップ１７は、その略中央部に一対のプラグ端子１３の突出基部を覆うための一対の筒状の絶縁部１５が形成されており、この絶縁部１５によって一対のプラグ端子１３の突出基部の間を絶縁状態に保つことができる。
【００１２】
そのため、プラグのコンセントへの差し込み状態において、コンセントとプラグ１１の間の隙間から埃が侵入してプラグ端子１３の基部に埃が溜まり、これに水分が吸収されても、一対のプラグ端子１３の突出基部の間にトラッキング現象が発生することを防止できるというものである。
【００１３】
しかしながら、この絶縁キャップ１７は、プラグ本体に係止凹部１９を形成し、これにキャップ１７の周囲に形成した係合凸部１８を嵌合させて取り付ける構成のために、適用範囲は極めて狭く、適用できるのは所定の設計に基づいて製造された特別のプラグのみであり、それ以外のプラグや異形のプラグには使用することができないし、また、プラグ以外の多くの電気接続器具には適用できない。
【００１４】
次に、特許文献２に係るトラッキング防止技術は、プラグと別体に形成されたトラッキング防止部材１をプラグに装着するというものである（符号は、後述の本発明の符号とは無関係に、特許文献２に使用されているままに使用する。以下同様。）。
【００１５】
すなわち、このトラッキング防止部材１は、全体が板状に形成され、難燃性の発泡層２を持ち、その両面に難燃性の粘着層３ａ，３ｂを設けると共に、略中央部にプラグの接触片の差し込み用の穴４ａ，４ｂを設けたものである。
【００１６】
そして、プラグのコンセントへの差し込み時において、プラグの接触片６ａ，６ｂをトラッキング防止部材１の差し込み穴４ａ，４ｂにを通してからコンセントへ差し込み押圧すると、コンセントの表面とプラグの前面は、トラッキング防止部材１の粘着層３ａ，３ｂに押しつけられ密接に接着する。これによりコンセントとプラグの間に隙間が形成されることがなく、埃や水分が侵入することがないので、トラッキング現象が発生することを防止できるというものである。
【００１７】
かつ、このトラッキング防止部材１は、各種のプラグやプラグ以外の多くの電気接続器具には広範囲に適用できる。
【００１８】
しかしながら、このトラッキング防止部材１は、コンセントの表面及びプラグの前面と接着してしまうから、修理点検や移動等のためプラグをコンセントから抜き取る必要があるとき、そうした抜き取りを困難にし、無理に抜き取ろうとするとコンセント等を壊してしまうおそれがあり、又コンセントの表面及びプラグの前面を粘着剤で甚だしく汚してしまうという欠点がある。
【００１９】
本発明は、以上のような問題点を解消するためになされたものであり、その目的とするところは、各種の電気接続器具に広く適用できる汎用型であり、かつ電気接続器具のトラッキング現象を長期間にわたって確実に防止することができ、更に、必要に応じて容易に電気接続器具に着脱できる使い勝手の優れた電気接続器具のトラッキング防止部材を提供することにある。
【課題を解決するための手段】
【００２０】
本発明は、このような目的を達成するため、次のように構成されている。
【００２１】
請求項１に記載の本発明の電源接続端子のトラッキング防止カバーは、平板部を持ち、平板部に挿入穴を開口し、前記挿入穴の縁を囲繞する筒状シール部及びリブ状シール部を形成し、平板部の周縁から伸長するスカート状シール部を形成して構成されている。
なる電源接続端子のトラッキング防止カバー。
【００２２】
また、請求項２に記載の本発明の電源接続端子のトラッキング防止カバーは、前記リブ状シール部を断面略Ｓ型に形成して構成されているなる。
【００２３】
また、請求項３に記載の本発明の電源接続端子のトラッキング防止カバーは、前記リブ状シール部を断面略Ｕ型に形成して構成されている請求項１に記載のカバーである。
【００２４】
また、請求項４に記載の本発明の電源接続端子のトラッキング防止カバーは、前記平板部の周縁に庇部を形成して構成されている請求項１又は３に記載のカバーである。
【００２５】
更に、請求項５に記載の本発明の電源接続端子のトラッキング防止カバーは、前記スカート状シール部の周縁にフランジ部を形成して構成されている請求項１乃至４記載のカバーである。
【発明の効果】
【００２６】
上記のように、請求項１に記載の本発明の電源接続端子のトラッキング防止カバーは、平板部を持ち、平板部に挿入穴を開口し、前記挿入穴の縁を囲繞する筒状シール部及びリブ状シール部を形成し、平板部の周縁から伸長するスカート状シール部を形成して構成されているため、電源に接続した接続端子の周辺外側から内側まで、３段階ないし３重のシールを形成して、接続端子の突出基部までの空気の侵入を阻止し、外部からの埃や湿気の侵入を防止し、電源接続端子のトラッキングの発生を防止することができ、かつ各種の電源接続端子に広く適用できるとともに、使用後も接続部を汚すことなく容易に取り除くことが出来る。
【００２７】
また、請求項２乃至３に記載の本発明の電源接続端子のトラッキング防止カバーは、前記リブ状シール部を断面略Ｓ型乃至略Ｕ型に形成して構成されているため、リブ状シール部は使用時に弾性力を保持しつつ変形することによって、空気及び埃や湿気の侵入を有効に遮断するシール機能を発揮することができる。特に、断面略Ｓ型のリブ状シール部は表裏の両方向に弾性力を保持するので、極めて高いシール機能を発揮することができる。
【００２８】
更に、接続端子を電源に差し込んでも、差し込みが不完全な場合や接続器具同志の相性によっては、接続器具本体の表面同志が完全には密着せず、その間に若干の隙間が空くような場合や何らかの要因で隙間が拡大したような場合でも、リブ状シール部とスカート状シール部がその隙間を塞ぎ、接続端子の突出基部への空気や埃と湿気の侵入を完全に防止するので、トラッキングの発生を完璧に防止することができる。
【００２９】
また、請求項４に記載の本発明の電源接続端子のトラッキング防止カバーは、前記平板部の周縁に庇部を形成して構成されているため、電源接続箇所へのゴミや埃の落下や吹き込みを遮断し、電源接続箇所のクリーン度を保持することができる。
【００３０】
更に、請求項５に記載の本発明の電源接続端子のトラッキング防止カバーは、前記スカート状シール部の周縁にフランジ部を形成して構成されているため、使用後、トラッキング防止カバーの除去乃至引き剥がしに当たって便利な摘まみとして有効である。
【発明を実施するための最良の形態】
【００３１】
以下、本発明の実施の形態を図面を用いて説明する。
【００３２】
この発明の電源接続部のトラッキング防止カバー１は、図１（正面図）及び図２（背面図）に示すように、平板部２を持ち、平板部２は表面２Ａと裏面２Ｂを形成し、平板部２の略中央部には表面２Ａと裏面２Ｂを貫通する一対の挿入穴３を形成している。挿入穴３は、後述するアダプターなどの接続端子を挿入するためのもので、ここでは矩形に形成されている。
【００３３】
平板部２は、表面２Ａ側において挿入穴３の周囲を囲繞する一対の筒状シール部４を持ち、筒状シール部の内壁面は、図３に示すように、挿入穴３の大部分を形成している。
【００３４】
また、平板部２と筒状シール部４の間に、筒状シール部４を囲繞するように、リブ状シール部５が形成されている。リブ状シール部５は、図３及び４に示すように、断面Ｓ状に形成され、これを平板部２の表面２Ａ側から見ると、内側がＵ状の凹部を、外側が逆Ｕ状の凸部を、それぞれ形成しているが、反対の裏面２Ｂ側から見ると、外側がＵ状の凹部を、内側が逆Ｕ状の凸部を、それぞれ形成している。そして、裏面２Ｂ側のリブ状シール部５の凸部の内側は、筒状シール部４の内壁面に続く挿入穴３の拡大する開口部を形成している。
【００３５】
更に、平板部２は、スカート状のシール部６を持ち、このスカート状シール部６は、図３及び４に示すように、平板部２の周縁部から斜め方向に伸長してその裾廻りにかけて末広がりに拡大している。
【００３６】
図５は、本発明のカバー１を平板部２の表面２Ａ側から見た斜視図であるが、一部を切り欠くことによって、その構造を理解し易いようにしている。
【００３７】
本発明のカバー１は、電気絶縁性と難燃性に富むシリコーンゴムを圧縮成形することによって製造され、全体として柔軟性、弾力性及び可撓性を有している。
【００３８】
なお、本発明のカバー１の主要部分の標準寸法は、次の通りである。
【００３９】
カバー１は、図１における全体の縦方向の長さＬが約２５ｍｍ、図１における横方向の長さＬ1 が約１９ｍｍであり、平板部２の厚さＷは約０．４ｍｍである（図３）。挿入穴３は、縦方向の幅Ｗ1 が約１・５ｍｍ（図３）、横方向の幅Ｗ2 が約６・３ｍｍ（図４）であり、挿入穴３同志の中心軸間の間隔Ｌ2 が約１２．７ｍｍ（図３）である。筒状シール部４は、平板部２の表面２Ａからの高さＨが約２．６ｍｍ、厚みＷ3 が０・３ｍｍである（図４）。スカート状シール部６は、平板部２の表面２Ａからの凸部の高さ（ないし凹部の深さプラス凹部の厚み）Ｈ1 ，Ｈ2 が各約０．８ｍｍである（図４）。更に、スカート状シール部６は、平板部２の表面２Ａからの高さＨ3 が約１．５ｍｍである（図４）。
【００４０】
次に、本発明のトラッキング防止カバー１の電源接続部への使用方法と使用した際の働き・機能について説明する。
【００４１】
図６において、１００はアダプター本体、１０１はアダプターの接続端子である。
【００４２】
先ず、接続端子１０１を、カバー１の平板部２の裏面２Ｂ側から挿入穴３に挿入することによって、アダプター本体１００の前面１００Ａをカバー１によって覆う。
【００４３】
次に、接続端子１０１を、矢印方向に、電源コンセント本体１０２の端子受穴１０３に、差し込み、端子受穴１０３の背後の設けられている二股の端子受片（図示しない）間に確実に挟持、固定されるまで押し込む。
【００４４】
この差し込み状態において、カバー１は、外側から内側にかけて、３段階のシールを積層して形成することができる。
【００４５】
すなわち、先ず、カバー１のスカート状シール部６が、電源コンセント本体１０２の前面１０２Ａに密着して後退すると共に、スカート状シール部６とリブ状シール部５の間の平板部２の裏面２Ｂ部分が、アダプター本体１００の前面１００Ａに密着することによって、スカート状シール部６から平板部２Ｂ部分にかけて弾発力を保ちながら偏平状に変形し、アダプター本体１００の前面１００Ａと電源コンセント本体１０２の前面１０２Ａの両面の第１段階のシールを形成する。
【００４６】
次に、カバー１のリブ状シール部５が、アダプター本体１００の前面１００Ａと電源コンセント本体１０２の前面１０２Ａによって挟まれ圧迫されることによって、リブ状シール部５の両方向の凸部が、弾発力を保ちながら偏平状に変形しつつ、アダプター本体１００の前面１００Ａと電源コンセント本体１０５２の前面１０２Ａの両面に密着することによって、第２段階のシールを形成する。
【００４７】
更に、カバー１の筒状シール部４が、接続端子１０１の突出基部廻りを覆いながら端子受穴１０３内に挿入されて、接続端子１０１の突出基部において第３段階のシールを形成する。
【００４８】
以上のように、カバー１は外側から内側にかけて積層する３段階のシールを形成して、アダプター本体１００の前面１００Ａ側からの接続端子１０１の突出基部への空気の侵入を遮断すると同時に、電源コンセント本体１０２の前面１０２Ａ側からの接続端子１０１の突出基部への空気の侵入も遮断する。従って、接続端子１０１の突出基部への埃と湿気の侵入は完全に防止されるので、トラッキングの発生を完璧に防止することができるのである。
【００４９】
更に、アダプターを差し込んでも、差し込みが不完全な場合や器具同志の相性によっては、アダプター本体１００の前面１００Ａと電源コンセント本体１０２の前面１０２Ａが完全には密着せず、その間に若干の隙間が空くような場合でも、カバー１を使用することによってそのリブ状シール部５の両方向の凸部とスカート状シール部６がその隙間を塞ぎ、接続端子１０１の突出基部への埃と湿気の侵入を完全に防止するので、トラッキングの発生を完璧に防止することができる。
【００５０】
次に、本発明の第２の実施の形態を図面を用いて説明する。
【００５１】
この発明の電源接続部のトラッキング防止カバー１０は、図７（正面図）及び図８（背面図）に示すように、平板部２０を持ち、平板部２０は表面２０Ａと裏面２０Ｂを形成し、平板部２０の略中央部には表面２０Ａと裏面２０Ｂを貫通する一対の挿入穴３０を形成している。挿入穴３０は、後述するプラグなどの接続端子を挿入するためのもので、ここでは矩形に形成されている。
【００５２】
平板部２０は、表面２０Ａ側において挿入穴３０の周囲を囲繞する一対の筒状シール部４０を持ち、筒状シール部４０の内壁面は、図９及び１０に示すように、挿入穴３０の大部分を形成している。
【００５３】
また、平板部２０と筒状シール部４０の間に、筒状シール部４０を囲繞するように、リブ状シール部５０が形成されている。リブ状シール部５０は、図９及び１０に示すように、断面Ｕ状に形成され、これを平板部２０の表面２０Ａ側から見ると、Ｕ状の凹部を形成しているが、反対の裏面２０Ｂ側から見ると、逆Ｕ状の凸部を形成している。そして、裏面２０Ｂ側のリブ状シール部５０の凸部の内側は、筒状シール部４０の内壁面に続く挿入穴３０の拡大する開口部を形成している。
【００５４】
また、平板部２０は、その表面側２０Ａの周縁部にスカート状のシール部６０を持ち、このスカート状シール部６０は、図９及び１０に示すように、その縁廻りにかけて末広がりに拡大している。
【００５５】
このスカート状シール部６０の縁部には、図１１（Ａ）に示すように断面略Ｌ型のフランジ部６０Ａを、又は図１１（Ｂ）に示すように断面略逆Ｕ型のフランジ部６０Ｂを形成することが好ましい。
【００５６】
このフランジ部６０Ａ又は６０Ｂを、先に説明した実施の形態のカバー１のスカート状シール部６においても採用することも好ましい。
【００５７】
更に、平板部２０は、その裏面側２０Ｂの周縁部に庇部７０を持ち、庇部７０は図８に示す平板部２０の上部から側部にかけて平板部２０に対し略直交して突出している。このフランジ状シール部６は、図９及び１０に示すように、その縁廻りにかけて末広がりに拡大している。
【００５８】
本発明のカバー１０も、電気絶縁性と難燃性に富むシリコーンゴムを圧縮成形することによって製造され、全体として柔軟性、弾力性及び可撓性を有している。
【００５９】
なお、本発明のカバー１０の主要部分の標準寸法は、次の通りである。
【００６０】
カバー１０は、図８における全体の縦方向の長さｌが約３３ｍｍ、横方向の長さｌ’が約４０ｍｍであり、平板部２０の厚さｗは約０．４ｍｍである（図９）。挿入穴３０同志の中心軸間の間隔ｌ”が約１２．７ｍｍ（図８）である。筒状シール部４０は、平板部２０の表面２０Ａからの高さｈが約２．５ｍｍ、厚さｗ”が０・３ｍｍである（図１０）。フランジ状シール部６０は、平板部２０の表面２０Ａからの高さｈが筒状シール部４０と同じく約２．５ｍｍであり、厚さｗ’が約０．４ｍｍである（図９）。更に、フランジ状シール部６は、平板部２の表面２Ａからの高さＨ3 が約１．５ｍｍである（図４）。
【００６１】
次に、本発明のトラッキング防止カバー１０の電源接続部への使用方法と使用した際の働き・機能について説明する。
【００６２】
図１２において、１１０はプラグ本体、１１１はプラグの接続端子である。
【００６３】
先ず、接続端子１１１を、カバー１０の平板部２０の裏面２０Ｂ側から挿入穴３０に挿入することによって、プラグ本体１１０にカバー１０を装着する。
【００６４】
次に、接続端子１１１を、矢印方向に、電源コンセント本体１１２の端子受穴１１３に、差し込み、端子受穴１１３の背後の設けられている二股の端子受片（図示しない）間に確実に挟持、固定されるまで押し込む。
【００６５】
この差し込み状態において、カバー１０は、外側から内側にかけて、３段階のシールを積層して形成することができる。
【００６６】
すなわち、先ず、カバー１０のスカート状シール部６０が、電源コンセント本体１１２の前面１１２Ａに密着して後退すると共に、スカート状シール部６０とリブ状シール部５０の間の平板部２０の裏面２０Ｂ部分が、プラグ本体１１０の前面１１０Ａに密着することによって、スカート状シール部６０から平板部２０Ｂ部分にかけて弾発力を保ちながら偏平状に変形し、プラグ本体１１０の前面１１０Ａと電源コンセント本体１１２の前面１１２Ａの両面の第１段階のシールを形成する。
【００６７】
次に、カバー１０のリブ状シール部５０が、プラグ本体１１０の前面１１０Ａと電源コンセント本体１１２の前面１１２Ａによって挟まれ圧迫されることによって、リブ状シール部５０の凸部が、弾発力を保ちながら偏平状に変形しつつ、プラグ本体１１０の前面１１０Ａに密着することによって、第２段階のシールを形成する。
【００６８】
更に、カバー１０の筒状シール部４０が、接続端子１１１の突出基部廻りを覆いながら端子受穴１１３内に挿入されて、接続端子１１１の突出基部において第３段階のシールを形成する。
【００６９】
以上のように、カバー１０は外側から内側にかけて積層する３段階のシールを形成して、プラグ本体１１０の前面１１０Ａ側からの接続端子１１１の突出基部への空気の侵入を遮断すると同時に、電源コンセント本体１１２の前面１１２Ａ側からの接続端子１１１の突出基部への空気の侵入も遮断する。
【００７０】
従って、接続端子１１１の突出基部への埃と湿気の侵入は完全に防止されるので、トラッキングの発生を完璧に防止することができるのである。
【００７１】
更に、プラグを差し込んでも、差し込みが不完全な場合や器具同志の相性によっては、プラグ本体１１０の前面１１０Ａと電源コンセント本体１１２の前面１１２Ａが完全には密着せず、その間に若干の隙間が空くような場合でも、カバー１０を使用することによってそのリブ状シール部５０の凸部とスカート状シール部６０がその隙間を塞ぎ、接続端子１１１の突出基部への埃と湿気の侵入を完全に防止するので、トラッキングの発生を完璧に防止することができる。
【００７２】
また、カバー１０の庇部７０は、電源コンセント本体１１２に差し込まれたプラグ本体１１０の上部及び側部を覆い、上部や側部からの埃の落下や吹き込みを妨げ、長期間使用されるプラグ本体１１０の先端部への埃の蓄積や汚染を防止する。。
【００７３】
なお、図１２には図示されていないが、スカート状シール部６０の縁部に、フランジ部６０Ａ又は６０Ｂを形成した場合は、長期間の使用後に電源コンセント本体１１２からプラグ本体１１０を引き抜いた時、電源コンセント本体１１２又はプラグ本体１１０に付着状態になったカバー１０を除去する際、フランジ部６０Ａ又は６０Ｂは指で把持するに当たって便利な摘まみとして有効である。
【図面の簡単な説明】
【００７４】
【図１】本発明に係る電源接続部のトラッキング防止カバーの正面図である。
【図２】同カバーの背面図である。
【図３】図２のＡ−Ａ線矢視断面図である。
【図４】図２のＢ−Ｂ（及びＣ−Ｃ）線矢視断面図である。
【図５】同カバーの一部を切り欠いた斜視図である。
【図６】同カバーの使用状態の説明図である。
【図７】その他の実施の形態のトラッキング防止カバーの正面図である。
【図８】同カバーの背面図である。
【図９】図８のＣ−Ｃ線矢視断面図である。
【図１０】図８のＤ−Ｄ線矢視断面図である。
【図１１】（Ａ）、（Ｂ）図１０の丸枠Ｅ部分の変形例の拡大図である。
【図１２】同カバーの使用状態の説明図である。
【図１３】（Ａ）一般的なソケットの説明図である。（Ｂ）一般的なコンセントの説明用断面図である。
【符号の説明】
【００７５】
１，１０  トラッキング防止カバー
２，２０  平板部
３，３０  挿入穴
４，４０  筒状シール部
５，５０  リブ状シール部
６，６０  スカート状シール部
６１Ａ，６１Ｂ  フランジ部
【図１】
2006294362.tif 000003
【図２】
2006294362.tif 000004
【図３】
2006294362.tif 000005
【図４】
2006294362.tif 000006
【図５】
2006294362.tif 000007
【図６】
2006294362.tif 000008
【図７】
2006294362.tif 000009
【図８】
2006294362.tif 000010
【図９】
2006294362.tif 000011
【図１０】
2006294362.tif 000012
【図１１】
2006294362.tif 000013
【図１２】
2006294362.tif 000014
【図１３】
2006294362.tif 000015